(57)【要約】【課題】自由扉の開扉状態に於いて、操作部材をロック状態にしたまま閉扉することができ、かつ確実にラッチング機能を発揮するラッチ錠を提供すること。【解決手段】戸枠側のラッチ用受け具と、自由扉側の錠箱に傾斜面並びに係止面が互いに反対向きの状態になるように配設された上下の非反転型ラッチが操作部材の操作力によって作動する駆動部材及び該駆動部材と共働する係合作用部材を介して錠箱の内部方向へ後退動する錠本体とから成るラッチ錠に於いて、錠箱にトリガー部材を進退動自在に配設し、このトリガー部材は水平杆部分に錠箱内の制御バネに制御される操作部材用ロック手段を備え、このロック手段は、開扉時に於いて、係合作用部材を拘束する位置へと移動し、閉扉時に於いて、係合作用部材の拘束を解く位置へと移動すること。【選択図】図２
2008291595.tif 000002
【特許請求の範囲】
【請求項１】
戸枠側のラッチ用受け具と、自由扉側の錠箱に傾斜面並びに係止面が互いに反対向きの状態になるように配設された上下の非反転型ラッチが操作部材の操作力によって作動する駆動部材及び該駆動部材と共働する係合作用部材を介して錠箱の内部方向へ後退動する錠本体とから成るラッチ錠に於いて、前記錠箱にトリガー部材を進退動自在に配設し、このトリガー部材は水平杆部分に錠箱内の制御バネに制御される操作部材用ロック手段を備え、このロック手段は、開扉時に於いて、前記係合作用部材を拘束する位置へと移動し、一方、閉扉時に於いて、係合作用部材の拘束を解く位置へと移動することを特徴とするラッチ錠。
【請求項２】
請求項１に於いて、ロック手段２４は、係合作用部材と該ロック手段２４との間に回動自在に配設された係合捕捉片を介して係合作用部材を拘束又は非拘束状態にすることを特徴とするラッチ錠。
【請求項３】
請求項１に於いて、トリガー部材用の制御バネは、バネ力が弱いバネと強いバネの２種類であることを特徴とするラッチ錠。
【請求項４】
戸枠側のラッチ用受け具と、自由扉側の錠箱に傾斜面並びに係止面が互いに反対向きの状態になるように配設された上下の非反転型ラッチが操作部材の操作力によって作動する駆動部材及び該駆動部材と共働する係合作用部材を介して錠箱の内部方向へ後退動する錠本体とから成るラッチ錠に於いて、前記錠箱にトリガー部材を進退動自在に配設し、このトリガー部材は水平杆部分に連係するように錠箱に軸支され、かつ錠箱内の制御バネに制御される操作部材用ロック手段を備え、このロック手段は、開扉時に於いて、前記係合作用部材を拘束する位置へと移動し、一方、閉扉時に於いて、係合作用部材の拘束を解く位置へと移動することを特徴とするラッチ錠。
【請求項５】
請求項４に於いて、ロック手段は、横軸を介して軸支された係合レバーであることを特徴とするラッチ錠。
【発明の詳細な説明】
【技術分野】
【０００１】
本発明は、自由扉用のラッチ錠に関する。
【背景技術】
【０００２】
特許文献１及び特許文献２には、「固定側に取付けられ、かつ自由扉の自由端部に取付けられた錠本体の組となる上下方向の二つの非反転型ラッチ先端部が係脱するラッチ錠用の受け具」がそれぞれ記載されている。
【０００３】
ここでは、特に、特許文献１について記述する。特許文献１の受け具を含むラッチ錠は、次の構成から成る（公報中の符号も入れる）。
【０００４】
すなわち、このラッチ錠は、（Ａ）固定側に取付けるラッチ受部材（５０）と、揺動扉側に取付ける突没自在で且つ上下一対となる２つの非反転型ラッチ部材（４０ａ、４０ｂ）とを備え、（Ｂ）ラッチ受部材５０には、ラッチ部材（４０ａ、４０ｂ）にそれぞれ対応して扉の揺動方向中央よりにラッチヘッド収容部（５２ａ、５２ｂ）と、一のラッチヘッド収容部５２ａの揺動方向右側と他のラッチヘッド収容部５２ｂの揺動方向左側とに相互に対称的にラッチ係止部（５１ａ、５１ｂ）を有し、（Ｃ）ラッチ部材の先端部を形成するラッチヘッド（４１ａ、４１ｂ）は、ラッチ係止部に当接係止する係止面部（４２ａ、４２ｂ）とラッチ係止部（５１ａ、５１ｂ）に当接して没入する傾斜面部（４３ａ、４３ｂ）とからなる扉の揺動方向断面において略直角三角形に形成してあり、（Ｄ）扉が閉じた状態で一のラッチヘッド（４１ａ）と他のラッチヘッド（４１ｂ）との係止面部（４２ａ、４２ｂ）がそれぞれラッチ係止部（５１ａ、５１ｂ）側に位置して相互に対称に有している。
【０００５】
また、特許文献１の図１、図２を参照にすると、錠箱内には、操作部材の操作力により所定方向へ所定量回転するカム爪（３２）を有するカム部材（駆動部材３０）と、このカム部材の駆動力により錠箱内に後退動する端面コ字形状のラッチ没入部材（係合作用部材２０）と、このラッチ没入部材を介して錠箱の内部へと後退する上下の非反転型ラッチ部材（４０ａ、４０ｂ）が示されている。
【０００６】
したがって、特許文献１には、「戸枠側に取付けられるラッチ用受け具５０と、自由扉に取付けられ、かつ操作部材の操作力によって作動する駆動部材３０及び該駆動部材と共働する係合作用部材２０を介して上下一対のラッチ４０ａ、４０ｂが錠箱の内部方向へ後退動する錠本体とから成るラッチ錠」が開示されていることに成る。
【０００７】
上記構成のラッチ錠は、開扉時に於いて、例えばハンドル式の操作部材を時計方向に回すと（特許文献１の図２）、ラッチ没入部材（係合作用部材）２０は錠箱の後壁側へとスライドすることから、上下のラッチ部材（４０ａ、４０ｂ）は、ラッチ没入部材のアーム部の係合爪（２２ａ、２２ｂ）により錠箱の内部方向へ引き戻される。この作動態様は、扉を開いた場合に於いて、操作部材を操作した場合も同様である。つまり、特許文献１に記載の発明は、開扉時に操作部材が動く。
【０００８】
ところで、扉が自由扉であると共に、上下一対のラッチ４０ａ、４０ｂの傾斜面４３ａ、４３ｂが互いに反対向きであるラッチ錠の場合には、普通一般に操作部材を操作（回転又は揺動）することができるものの、自由扉を閉めようとする時、操作部材が回転又は揺動することなく、そのまま操作部材を押し込むだけで、或いはそのまま手前に引くだけで閉扉することができれば、操作性が良い（操作性の向上）。
【０００９】
そこで、現在、自由扉の開扉状態に於いて、操作部材をロック状態にしたまま閉扉することができ、かつ確実にラッチング機能を発揮するラッチ錠の出現が要望されている。
【特許文献１】特開２００６−２３３４６２号公報
【特許文献２】特開２００６−２３３７０６号公報
【発明の開示】
【発明が解決しようとする課題】
【００１０】
本発明の所期の目的は、自由扉用の非反転型ラッチを備えたラッチ錠の開扉状態に於いて、操作部材をロック状態にしたまま閉扉することができ、かつ確実にラッチング機能を発揮するラッチ錠を提供することである。第２の目的は、望ましくは、閉扉した瞬間に操作部材のロックを解くことができることである。その他各部材を合理的に組み合わせ、構成する部品点数を減らすことである。
【課題を解決するための手段】
【００１１】
本発明のラッチ錠は、戸枠側のラッチ用受け具と、自由扉側の錠箱に傾斜面並びに係止面が互いに反対向きの状態になるように配設された上下の非反転型ラッチが操作部材の操作力によって作動する駆動部材及び該駆動部材と共働する係合作用部材を介して錠箱の内部方向へ後退動する錠本体とから成るラッチ錠に於いて、前記錠箱にトリガー部材を進退動自在に配設し、このトリガー部材は水平杆部分に錠箱内の制御バネに制御される操作部材用ロック手段を備え、このロック手段は、開扉時に於いて、前記係合作用部材を拘束する位置へと移動し、一方、閉扉時に於いて、係合作用部材の拘束を解く位置へと移動することを特徴とする。
【００１２】
また、本発明のラッチ錠は、戸枠側のラッチ用受け具と、自由扉側の錠箱に傾斜面並びに係止面が互いに反対向きの状態になるように配設された上下の非反転型ラッチが操作部材の操作力によって作動する駆動部材及び該駆動部材と共働する係合作用部材を介して錠箱の内部方向へ後退動する錠本体とから成るラッチ錠に於いて、前記錠箱にトリガー部材を進退動自在に配設し、このトリガー部材は水平杆部分に連係するように錠箱に軸支され、かつ錠箱内の制御バネに制御される操作部材用ロック手段を備え、このロック手段は、開扉時に於いて、前記係合作用部材を拘束する位置へと移動し、一方、閉扉時に於いて、係合作用部材の拘束を解く位置へと移動することを特徴とする。
【発明の効果】
【００１３】
自由扉の開扉状態に於いて、操作部材をロック状態にしたまま閉扉することができ、かつ確実にラッチング機能を発揮する。また、請求項１に記載の発明は、制御バネを備えているので、上下の非反転型ラッチが受け具の側壁部分の縁部に衝接した段階ではなく、前記側壁部分（係合部）を乗り越えて、係入孔に入り込んだ瞬間（閉扉瞬間）に操作部材のロックを解くこと（アンロック状態にすること）ができる。
【発明を実施するための最良の形態】
【００１４】
以下、図１乃至図１０に示す本発明を実施するための最良の形態（第１実施例）により説明する。
【００１５】
（１）発明の実施の環境
Ｘはラッチ錠で、このラッチ錠Ｘは、扉Ｙに取付けられる錠本体１と、この錠本体のラッチに対向するように戸枠Ｚの縦枠に固定される受け具５０とから成る。扉Ｙは、その基端部が戸枠Ｚの縦枠に蝶番を介して軸支され、水平方向に揺動する自由扉である。扉Ｙの自由端部に錠本体１が固定されている。
【００１６】
まず、錠本体１の構成を説明する。２は扉Ｙにねじ等で取り付けられた錠箱で、周知のように、錠箱２は、ケース身２ａと、ケース蓋２ｂから構成されている。錠箱２はフロント板３を有し、このフロント板３の中央部寄りの部位と下端部側には、不番の上下のラッチ用開口が形成されている。また、フロント板３の上端部には、不番の固着具用の取付け孔が形成されている。さらに、フロント板３の上端部側には、不番のトリガー用開口が形成されている。
【００１７】
なお、錠箱２の先端部側には、上下の非反転型ラッチ５Ａ、５Ｂをそれぞれ案内するラッチガイド４が適宜に設けられている。また、トリガー部材２１及び係合作用片１５をそれぞれ案内する案内水平長孔が形成されている。ここでは、細部的事項の符号や説明は割愛し、主な部材について説明する。
【００１８】
（２）ラッチガイド４
上下のラッチガイド４は、それぞれ上下に位置する水平対向壁を有する。また、錠箱２内には、例えば図示しないラッチ用のロッキングピースを配設することもできるので、水平対向壁には、ロッキングピースの爪状先端部を受け入れる切欠状の不番の開口が形成されている。さらに、上下のラッチガイド４は、本実施例では係合作用部材１５の上下のアーム部の各先端部を受け止めるストッパーの役割を果たしている。
【００１９】
（３）ラッチ５Ａ、５Ｂとラッチばね１１
符号５Ａ、５Ｂは、錠箱２の前方に配設された上下一対のラッチである。これらのラッチ５Ａ、５Ｂは、それぞれ非反転式の通常ラッチである。これらの通常ラッチ５Ａ、５Ｂは、その後端部がラッチガイド４に案内されるようにフロント板３の上下のラッチ用開口にそれぞれ配設されている。しかも、図３示すように、これらの通常ラッチ５Ａ、５Ｂは、扉の自由端面から見た場合を基準にすると、ラッチングする係止面６と傾斜面７がそれぞれ相互に対称に位置するように配設されている。
【００２０】
したがって、図１では、上位のラッチ５Ａの係止面６は向こう側に位置し、一方、下位のラッチ５Ｂの係止面６は手前側に位置している。これに対して、上位のラッチ５Ａの傾斜面７は手前側に位置し、一方、下位のラッチ５Ｂの傾斜面７は向こう側に位置している。
【００２１】
それ故に、これらの通常ラッチ５Ａ、５Ｂは、特許文献１の上下のラッチ部材と同様の構成である。そこで、ラッチ５Ａ、５Ｂの構成を簡単に説明する。ここでは、説明の便宜上、係止面６と傾斜面７を有する前側の係合部をラッチ先端部８といい、このラッチ先端部８に水平方向に延在（連設）する後側の係合部をラッチ後端部９という。
【００２２】
しかして、本実施例のラッチ先端部８は、開扉時から閉扉時に於いて、受け具５０の係合部５１を乗り越える。一方、ラッチ後端部９は横向き凹所状の切欠部分を有し、この切欠部分内に係合作用部材１５のアーム部１５ｂの爪部が余裕をもって係合する。ここで「余裕」とは、開扉時から閉扉時に於いて、ラッチ先端部８が受け具５０の係合部５１を摺接しながら係入穴５２へと乗り越える際にラッチバネ１１のバネ力に抗して後退することができる所要間隙を意味する。
【００２３】
付言すると、錠箱２の中央部の上側と下側には、上下一対のバネ端支持片１２がそれぞれ固定的に設けられ、これらのバネ端支持片１２とラッチ５Ａ、５Ｂのラッチ後端部９の各端面との間に上下のラッチバネ１１がそれぞれ配設されている。
【００２４】
したがって、上下のラッチ５Ａ、５Ｂは、それぞれラッチばね１１により錠箱２のフロント板３から突出する方向に常時付勢されていることから、開扉時から閉扉した場合、ラッチばね１１のバネ力に抗して後退した後は、ラッチばね１１のバネ力により当初の位置へと戻る。
【００２５】
（４）駆動部材１４と係合作用片１５
錠本体１は、操作部材の操作力によって作動する駆動部材１４を有している。駆動部材１４は、本実施例ではカム部材であり、操作部材６０の軸が嵌合するハブ１４ａ、このハブ１４ａの外周から半径外方向に指先状に延びる第１係合突部１４ｂ、この第１係合突部１４ｂに対して所定間隔離間してハブ１４ａの外周に設けられた第２係合突部１４ｃをそれぞれ有する。
【００２６】
また、錠本体１は、駆動部材１４と共働する単数または複数の係合作用部材１５を有している。本実施例の係合作用部材１５は、図１及び図２で示すように正面視コ字形状に形成され、駆動部材１４により水平方向に移動することができるように錠箱２に案内されている。
【００２７】
付言すると、１５ａは垂直の受け部で、この受け部１５ａの後面は、上下一対の戻しバネ１６の先端部を受けている。一方、受け部１５ａの前面は、カム部材１４の指先状第１係合突部１４ａを受ける。
【００２８】
また、１５ｂは受け部１５ａの上下端部に直交方向、かつ前方に延在する上下のアーム部である。これらのアーム部１５ｂの先端部には、図４で示すようにラッチの後端部９にそれぞれ係合する係合爪１７が形成されている。また、上下のアーム部１５ｂの各中間部には、錠箱の図示しない水平長孔と係合するカイド突起１８がそれぞれ設けられている。
さらに、本実施例では、上側のアーム部１５ｂの先端部には、後述する係合捕捉片３１用の係合部（切欠部分、係合溝など）１９が形成されている。なお、符号２０は駆動部材１４の第２係合突部１４ｃと係合するストッパーである。
【００２９】
（５）トリガー部材
符号２１は、錠箱２のフロント板３に配設された一つのトリガー部材である。このトリガー部材２１は、フロント板３の上端部側のトリガー用開口に進退動自在に配設されている。このリガー部材２１は設計如何によっては２個配設しても良い。また、フロント板３の中間部に配設することもできる。
【００３０】
さて、本実施例のトリガー部材２１は、断面コ字形状のトリガーヘッド２２と、このトリガーヘッド２２から係合作用片１５の上方アーム部１５ｂの先端部に対向するように延在する水平杆部分２３と、この水平杆部分２３に可動（スライド可能）に設けられ、かつ扉Ｙを開いた状態で操作部材６０の操作を不可とするように直接又は間接的（本実施例）に前記上方アーム部１５ｂの係合部１９に係合して係合作用片１５をロックする操作部材用ロック手段２４と、このロック手段２４のスライド位置を制御するように該ロック手段２４に対して錠箱２内に配設された複数個の制御バネ２５、２６とから成る。
【００３１】
なお、制御バネ２５、２６は、本発明の二次的な目的を考慮して、前側制御バネ２５は、後側の制御バネ２６よりも弱い（扉の開閉の際におけるロック手段２４の位置変位のタイミングを考慮）。
【００３２】
しかして、前記トリガーヘッド２２には受け具５０と摺接する水平のローラ２７が軸支されている。また、前記ロック手段２４は、図５で示すように、ドーナツ形状、或は五円玉形状をしており、水平杆部分２３の後端部に外嵌合し、その外周面２４ａは係合捕捉片３１の背側の係合部（係合面）に押圧可能である。
【００３３】
さらに、複数個の制御バネ２５、２６は、トリガーヘッド２２とロック手段２４との間に介在する前側の制御バネ２５と、ロック手段２４と錠箱内部の後端部側に固定したバネ端受け２８との間に介在する後側の制御バネ２６に区分けされ、前後の制御バネ２５、２６のバネ力は適宜に設定されている。
【００３４】
なお、特に図示しないが、鍔状のロック手段２４の外周面２４ａの適宜箇所には、錠箱２のケース身２ａ又は／及びケース蓋２ｂに形成した水平案内長孔に係合するガイド突起が設けられている。また、ロック手段２４は水平杆部分２３の後端部から外れないように適宜に装着されている。
【００３５】
（６）係合捕捉片３１
本実施例では、鍔状ロック手段２４は、係合作用部材１５の上方のアーム部１５ｂと該ロック手段２４との間に回動自在に配設された係合捕捉片３１を介して係合作用部材１５を拘束又は非拘束状態にする。
【００３６】
係合捕捉片３１は、例えば指先を折り曲げた格好のＬ形状の係脱レバーであり、その基端部３１ａは横軸３２に軸支され、一方、自由端部３１ｂは係合作用部材１５の上方アーム部１５ｂの切欠状係合部１９と係脱可能な爪状捕捉部となっている。そして、前記横軸３２には、係合捕捉片３１を所定方向（非捕捉方向、係合を解く方向）に付勢する付勢バネ３３が巻装されている。
【００３７】
（７）主な作用―開扉時、開扉から閉扉へ
図１、図２と共に、図６を参照にして主な作用を説明する。図２は開扉時の状態を示す。また、図６の（ａ）と（ｂ）は、図２の開扉状態から操作部材６０を操作して扉Ｙを閉めた場合の状態を示す。
【００３８】
まず、図２及び図６の（ａ）で示す開扉時、トリガー部材２１は、受け具５０の係合部５１から離れたので前進する。そうすると、制御バネ２５、２６で制御されている鍔状ロック手段２４は前方へと位置変位して係合捕捉片３１の背側を押圧する。その結果、係合捕捉片３１は付勢バネ３３のバネ力に抗して係合作用部材１５のアーム部１５ｂの係合部１９に係合する。この時、鍔状ロック手段２４の外周面２４ａが係合捕捉片３１を規制することから、結果的に操作部材６０を回転又は揺動操作することができない。つまり、図６の（ａ）は、開扉時に於いて、ロック手段２４が係合捕捉片３１を介して係合作用部材を拘束する位置へと移動したことを示す。
【００３９】
そこで、例えば操作部材６０がプッシュ・プル方式である場合、操作部材６０をプッシュすると、操作部材６０は回転や揺動をすることなく、自由扉は閉鎖位置へと回転する。
【００４０】
その時、上下のラッチの先端部８、９は、受け具５０の係入穴５２を形成する係合部（側壁部分の傾斜状表面とアール乃至平表面）５１に衝突状態に摺接（衝接）するが、上下のラッチは、姿勢を維持しながら（反転せず）、ラッチばね１１のバネ力に抗してそのままの後退動し、かつ係合部５１を乗り越えて受け具５０の係入穴５２に同時に入り込む。
【００４１】
図６の（ｂ）は、上下のラッチ５Ａ、５Ｂが受け具５０の係入穴５２に入り込んだ閉扉時の状態を示す。扉の閉戸時、トリガー部材２１のトリガーヘッド２２は受け具５０の縁部ないし平坦面或いは隆起部分に圧接することから、錠箱２内に後退動する。そうすると、一瞬であるが、前側の制御バネ２５が収縮状態となり、その後、直ぐに前側の制御バネ２５が復帰し、その結果、ロック手段２５が水平杆部分２３をスライドして係合捕捉片３１の基端部３１ａ側へと位置変位する。
【００４２】
したがって、本実施例では、上下のラッチが同時に受け具５０の係入穴５２に入り込まない限り、操作部材６０を回動操作することができない。それ故に、上下の通常ラッチは、常にラッチング可能な態勢で受け具５０の係入穴５２に同時に係合する。
【００４３】
ところで、錠本体１が上下のラッチ５Ａ、５Ｂ用の図示しないロッキングピースを備えている場合、仮施錠状態にある上下のラッチ５Ａ、５Ｂを解錠させる場合には、図示しないシリンダ錠に差し込んだ鍵、サムターン方式のカム部材、回転式の操作部材、プッシュ・プル式の操作部材等の操作力により、係合作用部材１５に連係するロッキングピースをバネ力に抗して所定方向へと移動させ、かつそれらの先端部を上下のラッチ５Ａ、５Ｂの係合受け部からそれぞれ同時に係合離脱させる必要があるが、本実施例では発明の限定要件ではないので割愛している。
【００４４】
また、本実施例では、操作部材６０はレバー式のハンドルであるが、プッシュ・プル式であっても良い。付言すると、図１の閉扉状態に於いて、扉Ｙを開く場合には、プッシュ・プル式の操作部材６０を、例えばプルする（引く）。そうすると、操作部材６０の軸部に連係するように設けられ、かつ錠箱２の側壁に形成した開口を介して錠箱２内に延出する駆動片が所定方向（例えば水平方向）に移動して、係合作用部材１５が戻しバネ１６のバネ力に抗して所定方向に移動するように構成しても良いことはもちろんである。
【００４５】
（８）受け具
図７乃至図１０は、錠本体１に対応する受け具５０の一例を示す。本実施例の錠本体１は、錠箱２のフロント板３の上端部側に一つのトリガー部材２１を進退動自在に配設し、かつ錠箱２の中心部寄りの部位と下部側に配設した一組のラッチガイド４に上下のラッチ５Ａ、５Ｂをそのラッチングする係止面６並びに傾斜面７が相互に対称となるように組み込んでいることから、受け具５０の係合部５１、係入穴５２等も錠本体１の上下のラッチ並びにトリガー部材２１に対応するように形成されている。
【００４６】
ところで、上下のラッチに対応する左右の係合部５１は、それぞれ回転対称であって、かつ、上下に区分された二つの係合部分５１ａ、５１ｂから成っている。
【００４７】
例えば図９を参照に説明すると、一方（左側）の係合部分５１ａはラッチの係止面（先端）６が摺接する傾斜状のカム面（傾斜状表面）であり、他方（右側）の係合部分５１ｂはラッチの傾斜面７が摺接するアングル形のカム面（アールを有する平表面）となっている。
【００４８】
しかも、図８で示すように、前記一方の傾斜状表面の係合部分５１ａは、他方のアールを有する平表面の係合部分５１ｂよりも底壁５３側に多少落ち込んでいる。なお、左右の係合部５１は、それぞれ回転対称であることから、上下のラッチ５Ａ、５Ｂが係入穴５２に落ち込んだ（進入）ときに各ラッチ５Ａ、５Ｂの係止面６がそれぞれ同時に対向する垂直受け面５２ａ、５２ａも対角線方向の内面となる。
【実施例】
【００４９】
この欄では、第１実施例に於いて、トリガー部材２１の水平杆部分２３と、この水平杆部分２３に設けたロック手段２４との関係（設計変更例）について付言する。なお、設計変更例は、要部の第２実施例並びに第３実施例として位置付け、第１実施例と同一の部分には同様の符号を付し、重複する説明を割愛する。
【００５０】
第１実施例では、「錠箱２にトリガー部材２１を進退動自在に配設し、このトリガー部材２１は水平杆部分２３に錠箱内の制御バネ２５、２６に制御される操作部材用ロック手段２４を備え、このロック手段２４は、開扉時に於いて、錠箱内装の係合作用部材１５を錠箱２内の軸支された係合捕捉片３１を介して拘束する位置へと移動し、一方、閉扉時に於いて、係合作用部材１５の拘束を解く位置へと移動する」。
【００５１】
図１１の（ａ）、（ｂ）に示す第２実施例の構成も基本的に第１実施例と同様であるが、第１実施例の操作部材用ロック手段２４は、トリガー部材２１の水平杆部分２３にスライド自在に設けられた鍔状の可動体であるのに対して、第２実施例のロック手段２４Ａは、トリガー部材２１Ａの水平杆部分２３の後端部に設けた端面コ字形状の係合部４１に連係（例えば係合）し、かつ錠箱に横設軸架した横軸４２に軸支された「く字形状」の係合レバーである点である。
【００５２】
付言すると、ロック手段２４Ａとしての折り曲げ状の係合レバーは、その中央部が横軸４２に軸支され、一端部は水平杆部分２３の係合部４１に入り込んだ状態で係合し、一方、他端部は係合捕捉片３１Ａの背側の段差状係合部４３に係脱する。
【００５３】
したがって、この第２実施例では、ロック手段２４Ａは、狭義では、トリガー部材２１の水平杆部分２３の係合部４１と、この係合部４１と係合捕捉片３１Ａの背側の段差状係合部４３との間に介在するように横軸を介して軸支された係合レバー２４Ａと、この係合レバー２４Ａと係脱する係合捕捉片３１Ａとから成り、広義では、少なくともトリガー部材２１に連係するように錠箱に軸支され、かつ錠箱に軸支された係合捕捉片３１Ａの背側の係合部４３と係脱する係合レバー２をいう。
【００５４】
この第２実施例は、係合レバー２４Ａをトリガー部材２１Ａに直接ではなく、間接的に連係（連動）するように錠箱に軸支したものであるが、このように構成しても本願発明の所期の目的を達成することができる。
【００５５】
次に、図１２の（ａ）、（ｂ）は、第１実施例の第２の設計変更例である。説明の便宜上、第２実施例の用語と符号をそのまま援用する。図１２で示す第３実施例のロック手段２４Ａは、錠箱に横設軸架した横軸４２に軸支された「く字形状」の係合レバーである点では第２実施例と同様である。但し、係合レバー２４Ａの一端部は、トリガー部材２１Ａの水平杆部分２３の長孔状の係合部４１Ａ及びこの係合部４１を貫通する連係ピン４５を介してトリガー部材２１Ａに連係されるように構成されている点が若干異なる。
【００５６】
上記第２実施例及び第３実施例で示すように、可動式のロック手段２４Ａをトリガー部材２１Ａに直接ではなく、間接的に連係するように設けても、本願発明の所期の目的を達成することができるから、このような設計変更例は、本発明と実質的に同一であるといえる。なお、第２実施例及び第３実施例のロック手段も、第１実施例と同様に錠箱内の制御バネ２５、２６に間接的に制御されるので、本発明の第２の目的を達成することができる。
【００５７】
さらに、第１実施例では、ロック手段２４は水平方向にスライドする可動型であるが、トリガー部材の進退動に応じて周方向に回転する可動型であっても良い。
【００５８】
後者の場合の実施例としては、特に図示しないが、水平杆部分２３を螺杆状態に形成し、この水平螺杆部分２３に螺合し、かつ外周の適宜箇所に係合捕捉片３１（３１Ａ）の背側の係合部分に係脱する係合突起を有する回転板形式のロック手段２４を装着する。
【００５９】
また、水平杆部分２３をラック形式にして、この水平ラック杆部分２３に螺合し、かつ外周の適宜箇所に係合捕捉片３１（３１Ａ）の背側の係合部分に係脱する係合突起を有するピニオン部材を適宜に軸支しても良い。
【００６０】
加えて、水平杆部分２３とロック手段２４との関係は、係合捕捉片３１の背側の係合部、或いは係合作用部材１５のアーム部１５ｂ、或いはまたロック手段２４の形状を設計変更して、固定式にすることも理論上可能である。
【産業上の利用可能性】
【００６１】
本発明は、主に錠前や建具の業界で利用される。
【図面の簡単な説明】
【００６２】
図１乃至図１０は本発明の最良の実施例を示す各説明図。
【図１】閉扉時の概略の縦断面説明図。
【図２】開扉時の概略の縦断面説明図。
【図３】自由扉の自由端部側から見た説明図。
【図４】主な部材（トリガー部材、ロック手段、係合捕捉片、係合作用部材、ラッチ）の説明図。
【図５】要部（トリガー部材、ロック手段、制御バネ）の説明図。
【図６】図６の（ａ）は開扉時の説明図、図６の（ｂ）は閉扉時の説明図。
【図７】受け具の正面図。
【図８】図７を基準とした左側面図。
【図９】図７の９−９線断面図。
【図１０】受け具の係合部とラッチの摺接関係を示す概略説明図。
【図１１】第１実施例の要部を設計変更した第２実施例であり、図１１の（ａ）は開扉時の説明図、図１１の（ｂ）は閉扉時の説明図。
【図１２】第１実施例の要部を設計変更した第３実施例の説明図であり、図１２の（ａ）は開扉時の説明図、図１２の（ｂ）は閉扉時の説明図。
【符号の説明】
【００６３】
Ｘ…ラッチ錠、Ｙ…扉、Ｚ…戸枠、１…錠本体、２…錠箱、３…フロント板、４…ラッチガイド、５Ａ、５Ｂ…ラッチ、６…ラッチの係止面、７…ラッチの傾斜面、８…ラッチ先端部、９…ラッチ後端部、１１…ラッチばね、１２…バネ端支持片、１４…駆動部材、１５…係合作用部材、１５ａ…垂直の受け部、１５ｂ…上下のアーム部、１６…戻しバネ、１７…係合爪、１８…ガイド突起、１９…係合部、２１、２１Ａ…トリガー部材、２２…トリガーヘッド、２３…水平杆部分、２４、２４Ａ…操作部材用ロック手段、２４ａ…外周面、２５…弱い制御バネ、２６…強い制御バネ、２７…ローラ、３１、３１Ａ…係合捕捉片（係合ロック片）、３２…横軸、３３…付勢バネ、４１、４１Ａ…係合部、４２…横軸、４３…背側の係合部、５０…受け具、５０ａ…受け具の表面、５１…係合部、５１ａ…係合部分（傾斜状表面）、５１ｂ…係合部分（平表面）、５２…係入穴、５２ａ…垂直受け面、５３…底壁、６０…操作部材。
【図１】
2008291595.tif 000003
【図２】
2008291595.tif 000004
【図３】
2008291595.tif 000005
【図４】
2008291595.tif 000006
【図５】
2008291595.tif 000007
【図６】
2008291595.tif 000008
【図７】
2008291595.tif 000009
【図８】
2008291595.tif 000010
【図９】
2008291595.tif 000011
【図１０】
2008291595.tif 000012
【図１１】
2008291595.tif 000013
【図１２】
2008291595.tif 000014